(57)【特許請求の範囲】
【請求項１】
文字の修正を指示する修正キーと、数字を入力するための複数の数字キーと、カーソルを左右に移動するための移動キーとを備えた入力部と、
２つの数字情報の組み合わせに対応する文字を格納する記憶部と、
前記入力部の前記数字キーにより連続して入力された第１の数字情報と第２の数字情報を得ると、前記記憶部を参照して前記第１及び第２の数字情報の組み合わせに対応した文字を検索する検索部と、
前記検索部で検索した文字を表示する表示部と、
前記修正キーによる入力を検出すると、前記表示部に表示されている文字を前記第１及び第２の数字情報に変換し、前記第１の数字情報を表示して前記第２の数字情報の入力待ちの状態とし、この状態で前記数字キーの入力を検出した場合は入力された数字を第３の数字情報とし、前記第２の数字情報の入力待ちの状態で左方向への前記移動キーの入力を検出すると、前記第２の数字情報を表示して前記第１の数字情報の入力待ちの状態とし、この状態で前記数字キーの入力を検出した場合は入力された数字を第３の数字情報とし、前記第２の数字情報の入力待ちの状態または前記第１の数字情報の入力待ちの状態で更に前記修正キーによる入力を検出すると、前記第２の数字情報の入力待ちの状態であった場合には前記第２の数字情報に１を加算した値を第３の数字情報とし、前記第１の数字情報の入力待ちの状態であった場合には前記第１の数字情報に１を加算した値を第３の数字情報とし、いずれの場合も前記第３の数字情報と変更のない前記第１または第２の数字情報とを変更後の文字の数字情報とする修正部と
を有することを特徴とする携帯端末。
【請求項２】
前記修正部が前記第１または第２の数字情報のいずれかを第３の数字情報に変更する変更入力を受け付けると、前記検索部は、前記記憶部を参照して、前記変更入力によって受け付けた第３の数字情報と、変更のない前記第１または第２の数字情報とに対応した文字を検索するよう構成される、
ことを特徴とする請求項１に記載の携帯端末。
【発明の詳細な説明】
【技術分野】
【０００１】
本発明の実施形態は、携帯端末に関する。
【背景技術】
【０００２】
近年の携帯電話機を始めとした携帯端末では、電子メール送受信やＷｅｂサイトの閲覧等、文字データをやり取りすることが多く、携帯電話機で文字入力を行うことも多い。しかし、文字入力を行う操作キーは、携帯電話機の大きさを考慮すると、最小限かつ利便性の良い程度の数である必要がある。そこで、従来から文字入力を行うときは、電話をかける際に用いられる数字キーおよびその他数個のキーを用いている。
【０００３】
携帯電話機の文字入力方式には、いわゆる「かな入力方式」と「２タッチ入力方式」とがある。かな入力方式とは、数字キーにかなの文字が五十音の行毎に割り当てられている方式であり、同じ数字キーを押下する毎に、五十音の同じ行の文字が母音順に切り換わる。例えば、「１」キーには「あ行」が割り当てられており、「１」キーを押下する毎に「あ行」の文字が「あ」、「い」、「う」…と順に切り換わる。
【０００４】
一方、２タッチ入力方式とは、数字キーを２回押下して、１番目に入力した数字と２番目に入力した数字からなる二桁の数字に対応する文字を入力する方式である。１番目に入力する数字キーには、「１」キーが「あ行」、「２」キーが「か行」…というように五十音の行（子音）を割り当て、２番目に入力する数字キーには、「１」キーが「あ段」、「２」キーが「い段」…といったように五十音の段（母音）を割り当てている。得た二桁の数字の組み合わせに対応する１つの文字を、あらかじめ保持している対応文字のデータテーブルから呼び出す。例えば「く」を入力したい場合は、「２」キー（か行）、「３」キー（う段）の順に押下する。２タッチ入力方式では、数字キーの押下する回数が２回で済むので、かな入力方式よりも少ない押下回数で文字を入力することが可能である。
【先行技術文献】
【特許文献】
【０００５】
【特許文献１】特開２００８−２１０１１９号公報
【発明の概要】
【発明が解決しようとする課題】
【０００６】
しかしながら、２タッチ入力方式は、１番目に押下した子音の数字キーが正しくても、２番目に押下した母音の数字キーが間違えていると、結果として間違った文字を入力することになる。修正する際には間違った文字を削除し、改めて１番目の数字キーから入力し直さなければならず、操作が煩雑であった。
【課題を解決するための手段】
【０００７】
本実施形態に係る携帯端末は、文字の修正を指示する修正キーと、数字を入力するための複数の数字キーと、カーソルを左右に移動するための移動キーとを備えた入力部と、２つの数字情報の組み合わせに対応する文字を格納する記憶部と、前記入力部の前記数字キーにより連続して入力された第１の数字情報と第２の数字情報を得ると、前記記憶部を参照して前記第１及び第２の数字情報の組み合わせに対応した文字を検索する検索部と、前記検索部で検索した文字を表示する表示部と、前記修正キーによる入力を検出すると、前記表示部に表示されている文字を前記第１及び第２の数字情報に変換し、前記第１の数字情報を表示して前記第２の数字情報の入力待ちの状態とし、この状態で前記数字キーの入力を検出した場合は入力された数字を第３の数字情報とし、前記第２の数字情報の入力待ちの状態で左方向への前記移動キーの入力を検出すると、前記第２の数字情報を表示して前記第１の数字情報の入力待ちの状態とし、この状態で前記数字キーの入力を検出した場合は入力された数字を第３の数字情報とし、前記第２の数字情報の入力待ちの状態または前記第１の数字情報の入力待ちの状態で更に前記修正キーによる入力を検出すると、前記第２の数字情報の入力待ちの状態であった場合には前記第２の数字情報に１を加算した値を第３の数字情報とし、前記第１の数字情報の入力待ちの状態であった場合には前記第１の数字情報に１を加算した値を第３の数字情報とし、いずれの場合も前記第３の数字情報と変更のない前記第１または第２の数字情報とを変更後の文字の数字情報とする修正部とを有することを特徴とする。
【図面の簡単な説明】
【０００８】
【図１】実施形態に係る携帯電話機の概略構成を示すブロック図。
【図２】文字データ記憶部に格納される文字テーブルの例を示す図。
【図３】携帯電話機の文字入力および修正の動作例を示すフローチャート。
【図４】入力中の文字を修正する際の表示例を示す図。
【図５】入力確定後の文字を修正する際の表示例を示す図。
【図６】入力中の文字を修正する際の他の表示例を示す図。
【発明を実施するための形態】
【０００９】
以下、実施形態について、添付の図面に基づいて説明する。
【００１０】
図１は、本発明の一実施形態に係る携帯電話機１の概略構成を示すブロック図である。携帯電話機１は、制御部１０、電源回路部１１、表示制御部１２、キー操作検出部１３、音声制御部１４、無線通信部１５、記憶部１６、情報記憶媒体１７、文字テーブル記憶部２１がバスによって相互に通信可能に接続されて構成されている。
【００１１】
電源回路部１１は、電力供給源（バッテリ等）を備え、操作キーを介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１２】
表示制御部１２はディスプレイ５２に対する表示インタフェースを備え、制御部１０の制御に基づいて、文書や画像等からなる画面をディスプレイ５２に表示する。
【００１３】
キー操作検出部１３は操作キー５３に対する入力インタフェースを備える。操作キー５３は「０」から「９」までの数字キーおよび「＃」、「＊」の記号キーを含む。キー操作検出部１３は、操作キー５３の押下またはリリースの操作を検出すると、それらの操作を示す信号を生成して、この信号を制御部１０に伝送する。また、操作キー５３は、文字を修正状態にするキー（以降、文字修正キーと呼ぶ）、および文字を確定状態にするキー（以降、確定キーと呼ぶ）、およびディスプレイ５２に表示される画面上のカーソルを上下左右に移動させるキー（以後、移動キーと呼ぶ）を含む。詳細は後述する。
【００１４】
なお、操作キー５３がタッチパネルによって構成される場合は、キー操作検出部１３は、タッチパネルへの接触とリリースの２つの状態を検出する。
【００１５】
音声制御部１４は、制御部１０の制御に基づいて、マイクロフォン１４２で集音されたアナログ音声信号をデジタル音声信号に変換する。また音声制御部１４は、デジタル音声信号を取得すると、制御部１０の制御に基づいて、このデジタル音声信号をアナログ音声信号に変換し、スピーカ１４１から音声として出力する。
【００１６】
無線通信部１５は、制御部１０の制御に基づいて、基地局からアンテナ１５ａを介して受信した受信信号を処理して音声・オーディオデータ、画像データ、制御データなどを復元する。復元によって音声・オーディオデータが得られた場合は、制御部１０の指示により、音声制御部１４に伝送されてスピーカ１４１から出力され、画像データが得られた場合は、表示制御部１２を介してディスプレイ５２に表示されたり、または記憶部１６に記録されたりする。また無線通信部１５は、制御部１０の制御に基づいて、マイクロフォン１４２で集音された音声信号や操作キー５３で入力された文字列や記憶部１６に記憶された各種データを取得すると、これらのデータの送信信号へと変換し、基地局に対してアンテナ１５ａを介して送信する。
【００１７】
文字テーブル記憶部２１は、２タッチ入力方式に基づき、１番目に押下した数字キーの数字と２番目に押下した数字キーの数字とから成る二桁の数字の組み合わせに対応する文字のテーブル（文字テーブル）を格納する。この文字テーブルの例を図２に示す。文字テーブルで対応する文字には、かな、アルファベット、記号、数字を含む。文字テーブルは、１番目に押下した数字キーの数字配列を「行」、２番目に押下した数字キーの数字配列を「列」とし、行の数字と列の数字との組み合わせで対応する文字が決まる。かな文字については、行の数字には五十音の行（子音）を、列の数字には五十音の段（母音）をそれぞれ割り当てる。
【００１８】
記憶部１６は、制御部１０や無線通信部１５などのワーク領域となるもので、その機能はＲＡＭ（Ｒａｎｄｏｍ  Ａｃｃｅｓｓ  Ｍｅｍｏｒｙ）などにより実現できる。また、確定状態となる前の文字に対応する数字の組み合わせを一時的に記憶する。
【００１９】
情報記憶媒体１７（コンピュータにより読み取り可能な媒体）は、プログラムやデータなどを格納するものであり、その機能は、ハードディスク、或いはメモリ（Ｆｌａｓｈ Ｍｅｍｏｒｙ、ＲＯＭ：Ｒｅａｄ  Ｏｎｌｙ  Ｍｅｍｏｒｙ）などにより実現できる。情報記憶媒体１７には、本実施形態に関する各機能を実現させるため、コンピュータ（制御部１０）に実行するプログラム、複数のアプリケーション等が記憶される。
【００２０】
制御部１０は、携帯電話機１の総括的な制御を行うとともに、その他の様々な演算処理や制御処理などを行う演算装置である。制御部１０の機能は各種プロセッサ（ＣＰＵ、ＤＳＰ等）、ＡＳＩＣ（ゲートアレイ等）などのハードウェアや、プログラムにより実現できる。制御部１０は、情報記憶媒体１７に格納されるプログラムやデータに基づいて本実施形態の種々の処理を行う。すなわち、制御部１０は、情報記憶媒体１７に記憶されたプログラムに基づいて、文字取得機能１０１、文字修正機能１０２、文字切換機能１０３、文字確定機能１０４の各機能を実行する。文字取得機能１０１は、文字テーブル記憶部２１に記憶されている文字テーブルに基づき、押下された数字キーに応じた文字データを取得する。文字修正機能１０２は、ディスプレイ５２に表示された文字データについて、対応する行の数字に変換し、次の数字キーの入力を待機する文字修正状態とする。文字切換機能１０３は、文字修正機能１０２で文字修正状態となっている場合に、文字修正キーの押下に応じて、ディスプレイ５２に表示されていた文字と同じ行（子音）であり他の列の文字に順に切り換える。文字確定機能１０４は、確定キーの押下に応じて、入力中の文字または修正した文字データを確定状態とする。なお、これらの詳細は後述する。
【００２１】
＜文字入力および修正の動作例＞
次に、上記構成における携帯電話機１の、文字入力および修正の動作例について、図３を参照して説明する。
【００２２】
ユーザにより２タッチ入力方式を用いた文字入力が開始され、１番目に操作キー５３の数字キー「２」が押下されると、キー操作検出部１３は数字キー「２」の押下を検出して１番目の数字「２」を示すコードを制御部１０へ出力する（ステップＳ１０１）。続いてユーザにより２番目に数字キー「３」が押下されると、キー操作検出部１３は数字キー「３」の押下を検出して２番目の数字「３」を示すコードを制御部１０に出力する（ステップＳ１０３）。次に制御部１０の文字取得機能１０１は、文字テーブル記憶部２１の文字テーブルを参照し、行の数字である１番目の数字「２」を示すコードと、列の数字である２番目の数字「３」を示すコードからなる二桁の数字「２３」の組み合わせに対応する文字「く」を取得し、数字「２３」を記憶部１６に一時的に記憶させる（ステップＳ１０５）。そして、表示制御部１２を介しディスプレイ５２に文字「く」を表示する（ステップＳ１０７）。
【００２３】
次に、ユーザによって操作キー５３の文字修正キーが押下されると、キー操作検出部１３はこの押下を検出し（ステップＳ１０９で「Ｙｅｓ」）、文字修正機能１０２は、ステップＳ１０７でディスプレイ５２に表示されている文字「く」を文字修正状態とし、文字テーブル記憶部２１の文字テーブルを参照して、対応する子音「か行」を示す行の数字（１番目の数字）「２」に変換し、表示制御部１２を介してディスプレイ５２に表示させる。また文字修正機能１０２は、変換した「２」の次に続く入力を待機していることを示す記号（例えばアンダーバーの点滅等）を、変換してディスプレイ５２に表示された「２」のすぐ右隣に表示させる（ステップＳ１１１）。このときディスプレイ５２では、文字「く」に対応した数字「２３」のうち、「３」が消去されて、他の数字の入力待ち状態であるように表示される。ユーザはこのディスプレイ５２の表示を見て、文字が修正可能であることを認識することができる。
【００２４】
ステップＳ１１１において、ユーザが更に文字修正キーを押下しキー操作検出部１３が検出した場合（ステップＳ１１３で「Ｙｅｓ」）、文字切換機能１０３は、ステップＳ１０５で記憶部１６に一時的に記憶した文字「く」に対応する数字の組み合わせ「２３」より、消去された数字「３」に１だけ加算した数字「４」が入力され、表示されている数字「２」と、入力された「４」とを組み合わせた数字「２４」に対応する文字「け」を表示する。つまり、ステップＳ１０７でディスプレイ５２に表示されていた文字「く」と同じ子音「か行」であり、母音順で文字「く」の次である「け」に切り換え、ディスプレイ５２に表示する（ステップＳ１１５）。つまり、ステップＳ１０７でディスプレイ５２に表示されていた文字「く」に対応する行の数字が「２」、列の数字が「３」であるので、同じ行の数字「２」と、列の数字の次の数字「４」との組み合わせに対応する文字「け」に切換え、ディスプレイ５２に表示する。以降、文字修正キーが押下される毎に、文字切換機能１０３は列の数字を順に切り換え、行の数字「２」と切り換えた列の数字とで対応する文字「け」、「こ」…を取得し、ディスプレイ５２に切換表示する。
【００２５】
ステップＳ１１１において、ユーザが操作キー５３の数字キー「５」を押下しキー操作検出部１３が検出した場合（ステップＳ１１７で「Ｙｅｓ」）、文字取得機能１０１は、入力された数字キー「５」を、文字テーブル記憶部２１内の文字テーブルにおける列の数字とする。そして文字取得機能１０１は、ステップＳ１１１で表示されている子音「か行」を示す行の数字（１番目の数字）「２」と、ステップＳ１１７で入力された列の数字「５」とからなる二桁の数字「２５」の組み合わせに対応する文字「こ」を、文字テーブル記憶部２１内の文字テーブルより取得し、表示制御部１２を介してディスプレイ５２に表示する（ステップＳ１１９）。
【００２６】
次にキー操作検出部１３が操作キー５３の確定キーを押下すると（ステップＳ１２１で「Ｙｅｓ」）、文字確定機能１０４は修正した文字「こ」を確定状態とし、記憶部１６に一時的に記憶した文字「く」に対応する数字「２３」を削除する（ステップＳ１２３）。よって、入力中の文字について、容易に修正を行う事ができる。
【００２７】
なお、ユーザが操作キー５３の移動キーを用いて画面上のカーソルを移動させ、ステップＳ１２３で確定状態となった文字を指定し、文字修正キーを押下するとキー操作検出部１３が検出し（ステップＳ１２５で「Ｙｅｓ」）、指定した文字に対応する数字の組み合わせを文字テーブル記憶部２１内の文字テーブルより検索し、記憶部１６に一時的に記憶する。そして、ステップＳ１１１以降の文字修正の処理に戻る。よって、確定状態となった文字についても容易に修正を行う事ができる。
【００２８】
次に具体的な表示例について、図４および図５を参照して以下に述べる。
【００２９】
＜入力中の文字を修正する場合の表示例１＞
図４に、入力中の文字「く」を修正する場合のディスプレイ５２の表示例を示す。ディスプレイ５２には入力中の文字「く」が表示されており、まだ確定キーが押下されてないため、文字「く」をカーソルで指定している（図４（ａ））。また、文字「く」に対応する数字「２３」は記憶部１６に一時的に記憶されている。ユーザが文字修正キーを押下すると、文字「く」を文字修正状態とし、文字「く」に対応する行（子音）の数字「２」がディスプレイ５２に表示される。また、「２」のすぐ右隣に点滅したアンダーバーが表示され、次の数字の入力を待機する（図４（ｂ））。図４（ｂ）でユーザが数字キー「５」を押下すると文字「こ」が表示される（図４（ｃ１））。または、図４（ｂ）でユーザが文字修正キーを押下すると、文字「け」が表示され（図４（ｃ２））、更に文字修正キーを押下すると、文字「こ」が表示される（図４（ｃ３））。すなわち、文字修正キーが押下されるごとに、アンダーバーが表示されている位置に、消去された数字の１だけ加算した数字が入力され、表示されている数字とこの加算後の数字より文字テーブル記憶部２１に記憶されている文字テーブルの検索を行う。図４（ｃ１）、（ｃ３）では文字「こ」についてカーソルで指定されており、ユーザが確定キーを押下すると、文字「こ」が確定状態となり、指定していたカーソルが消去される（図４（ｄ））。
【００３０】
＜入力確定後の文字を修正する場合の表示例＞
図５に、入力確定後の文字「いかん」のうち文字「か」を修正する場合のディスプレイ５２の表示例を示す。ディスプレイ５２には入力が確定している文字「いかん」が表示されている（図５（ａ））。ユーザが操作キー５３を用いて、修正したい文字「か」にカーソルを移動させ（図５（ｂ））、文字修正キーを押下すると、文字「か」を文字修正状態とし、文字「か」に対応する行（子音）の数字「２」がディスプレイ５２に表示される。また、「２」のすぐ右隣に点滅したアンダーバーが表示され、次の数字の入力を待機している状態とする（図５（ｃ））。図４の表示例と同様、ユーザが数字キー「４」を押下すると文字「け」が表示される（図５（ｄ１））。または図５（ｃ）でユーザが文字修正キーを押下する毎に、文字「き」（図５（ｄ２））、文字「く」（図５（ｄ３））、文字「け」（図５（ｄ４））が順に表示される。図５（ｄ１）、（ｄ４）では文字「け」についてカーソルで指定されており、ユーザが確定キーを押下すると、文字「け」が確定状態となり、指定していたカーソルが消去される。修正後は文字「いけん」が表示される（図５（ｅ））。
【００３１】
＜入力中の文字を修正する場合の表示例２＞
図６に、入力中の文字「く」を修正する場合のディスプレイ５２の他の表示例を示す。ディスプレイ５２には入力中の文字「く」が表示されており、まだ確定キーが押下されてないため、文字「く」をカーソルで指定している（図６（ａ））。また、文字「く」に対応する数字「２３」は記憶部１６に一時的に記憶されている。この状態でユーザが文字修正キーを押下すると、文字「く」を文字修正状態とし、文字「く」に対応する行（子音）の数字「２」がディスプレイ５２に表示される。また、「２」のすぐ右隣に点滅したアンダーバーが表示され、次の数字の入力を待機する（図６（ｂ））。ここで、ユーザが移動キーの左方向「←」を押下すると、記憶部１６に記憶された、まだ確定されていない文字「く」に対応する列（母音）の数字「３」がディスプレイ５２に表示されるとともに、数字「３」のすぐ左側に点滅したアンダーバーが表示され、修正のための行（子音）の数字が入力されるのを待つ（図６（ｃ））。
【００３２】
図６（ｃ）の状態で、ユーザが数字キー「５」を押下すると文字「ぬ」が表示される（図６（ｄ１））。または、図６（ｃ）の状態でユーザが文字修正キーを押下すると、文字「す」が表示され（図６（ｄ２））、更に文字修正キーを押下すると、文字「つ」が表示され（図６（ｄ３））、続く押下で文字「ぬ」表示される（図６（ｄ４））。図６（ｄ１）、（ｄ４）では文字「ぬ」がカーソルで指定されており、この状態でユーザが確定キーを押下すると、文字「ぬ」が確定状態となり、指定していたカーソルが消去される（図６（ｅ））。
【００３３】
なお、上記移動キーの左方向「←」が押下された後に、移動キーの右方向「→」が押下されると、再び行（子音）の数字「２」がディスプレイ５２に表示される。
【００３４】
以上説明したようにこの実施形態では、二桁の数字の組み合わせで対応する文字を入力する文字入力方式において、間違ったキーの入力操作を行った場合に、文字全部を消去して子音の数字キーから入力をし直す必要がなく、操作キーの押下回数を減らすことができ、操作性が向上する。すなわち、２タッチ入力方式の文字入力において、文字修正を容易に行うことが可能となる。
【００３５】
以上、実施形態について図面を参照して詳述してきたが、具体的な構成はこの実施形態に限られるものではなく、その要旨を逸脱しない範囲の設計変更等も含まれる。
【００３６】
また、上記実施形態における携帯電話機の代わりに、無線通信機能を備えた携帯型パーソナル・コンピュータ又はＰＤＡ（Personal Digital Assistance）、携帯音楽プレイヤー、携帯ビデオカメラ、携帯ゲーム機等に本発明を適用してもよい。
【符号の説明】
【００３７】
１…携帯電話機、１０…制御部、１０１…文字取得機能、１０２…文字修正機能、１０３…文字切換機能、１０４…文字確定機能、１１…電源回路部、１２…表示制御部、１３…キー操作検出部、１４…音声制御部、１５…無線通信部、１６…記憶部、１７…情報記憶媒体、２１…文字テーブル記憶部、５２…ディスプレイ、５３…操作キー。
【図１】
0005526956.tif 000002
【図２】
0005526956.tif 000003
【図３】
0005526956.tif 000004
【図４】
0005526956.tif 000005
【図５】
0005526956.tif 000006
【図６】
0005526956.tif 000007